(57)【要約】【課題】  操作スイッチの配列、機能、数量をユーザーの必要性に対応して変更することができる天井懸垂式Ｘ線管保持装置を提供する。【解決手段】  制御部１７に集中制御するＣＰＵ１７ａと周辺制御回路１７ｂを設け、記憶装置１８に各操作スイッチ１４ｘとブレーキ動作情報及び制御プログラムを記憶させる。操作パネル部１４の液晶表示の表示パネル１５の配線変更モード切換スイッチ１５ａを選択すると、設定画面１５ｂが表示される。内容変更スイッチ１５ｃを選択し、内容変更書換プログラムを起動させ、プログラムに沿って内容を変更設定する。登録設定スイッチ１５ｄを選択すると、スイッチ配線変更プログラムが起動し、操作スイッチ１４ｘの配線が変更され、同時に設定された仕様が記憶装置１８に記憶される。そして、操作パネル部１４上の操作スイッチ１４ｘの配列、機能、数量が設定され、駆動部１９が仕様通りに作動する。【選択図】          図１
2005131000.tif 000002
【特許請求の範囲】
【請求項１】
天井に設けられたレール上を水平面内で移動するキャリッジ部と、そのキャリッジ部から伸縮自在に懸垂された支柱と、その支柱の下方部に取付ブロックを介して前記支柱の周囲に回動可能に取り付け、かつ取付ブロックに対して水平軸を介して回転可能に取り付けられたＸ線管装置と、前記キャリッジ部の水平面移動、支柱の伸縮、Ｘ線管装置の回動及び回転のブレーキ解除用の操作スイッチを備えるとともに操作ハンドルをＸ線管装置に一体的に取付けた操作パネル部と、その操作パネル部に設けられ撮影術式、撮影条件、Ｘ線管装置の情報を表示する表示パネルと、操作パネル部の操作スイッチを操作してキャリッジ部及び支柱の動作、Ｘ線管装置の回動及び回転を制御する制御部とを備え、前記操作スイッチと操作ハンドルの操作でＸ線管装置を上下・左右・前後に移動させ、支柱に対して回動操作と回転操作を行わせＸ線照射をあらゆる方向にできるようにした天井懸垂式Ｘ線管保持装置において、前記制御部に集中制御できるＣＰＵと、操作スイッチの操作によるブレーキ動作情報、および操作スイッチの内容変更書換プログラム、配線変更プログラムを記憶した記憶装置と、前記表示パネルの表示画面を切換え前記操作スイッチとブレーキ動作の設定画面を表示する手段と、その設定画面を前記内容変更書換プログラム、配線変更プログラムによって変更し前記記憶装置に登録する手段とを設け、操作パネル部の操作スイッチの配列、機能、数量を変更できるようにしたことを特徴とする天井懸垂式Ｘ線管保持装置。
【請求項２】
制御部に外部機器からスイッチ配列、機能、数量変更データを通信によって取り込むことができる通信Ｉ／Ｆを設けたことを特徴とする請求項１記載の天井懸垂式Ｘ線管保持装置。
【発明の詳細な説明】
【技術分野】
【０００１】
本発明は、Ｘ線管装置を保持するＸ線管保持装置に係わり、特に、天井などから吊設されたＸ線管装置を、操作パネル部に設けられた操作スイッチと操作ハンドルで前後左右に走行させ、上下移動させ、垂直軸回りに回動（旋回）及び水平軸回りに回転させて撮影位置にセットする天井懸垂式Ｘ線管保持装置に関する。
【背景技術】
【０００２】
天井走行式のＸ線管保持装置は、天井にレールを設け、これに懸架した台車から伸縮可能な支柱を吊設し、その下端に取付ブロックを介してＸ線管装置を取り付けたもので、左右・前後走行、上下移動、及び、Ｘ線管装置の回動（垂直軸回り）、回転（水平軸回り）などが可能であり、左右・前後走行、上下移動の位置の固定は電磁ロック式のものが使用され、また、Ｘ線管装置の回動（垂直軸回り）設定には特定位置にセットできるストッパ手段による方式が用いられ、回転（水平軸回り）設定には電磁ロック式が用いられている。この天井走行式のＸ線管保持装置を用いれば、床に構造物が無いため、床面を有効に利用することができ、リーダ撮影台、ブッキー撮影台、Ｘ線透視撮影台等と組み合わせて診断することができる（例えば、特許文献１参照。）。
【０００３】
図４に、検査室で天井懸垂式Ｘ線管保持装置を移動させて撮影する状態を示し、一つの検査室に立位撮影台９と水平撮影台１２が設置され、（ａ）は立位撮影台９と組み合わせて撮影、（ｂ）は水平撮影台１２と組み合わせて撮影する状態を示す。図５に、天井懸垂式Ｘ線管保持装置の操作部を示し、（ａ）は操作パネル部４、（ｂ）は表示パネル５を示す。
天井懸垂式Ｘ線管保持装置は、天井に設けられたレール上をキャリッジ部７が水平面内で移動（長手動、短手動）し、そのキャリッジ部７から支柱６が伸縮自在に上下動し、その支柱６の下方部に取付ブロック８を介してＸ線可動絞り２付きのＸ線管装置１が、支柱６の周囲に回動（旋回）可能に取り付けられ、かつ取付ブロック８に対して水平軸を介して回転可能に取り付けられている。そして、操作パネル部４に、キャリッジ部７の水平面移動、支柱６の伸縮、Ｘ線管装置１の回動（旋回）及び回転のロック解除用の各操作スイッチが設けられ、操作ハンドル３がＸ線管装置１に一体的に取付けられている。操作パネル部４の各操作スイッチを操作してキャリッジ部７及び支柱６の動作、Ｘ線管装置１の回動（旋回）及び回転を制御する図５に示す制御部１０が操作パネル部４の後部に設けられている。
【０００４】
操作パネル部４は、円形状の操作ハンドル３を備え、操作パネル部４の左端側に、キャリッジ部７を水平移動ロック解除させる長手動スイッチ４ａ、短手動スイッチ４ｂ、および支柱６の伸縮ロック解除させる上下動スイッチ４ｃが設けられ、右端側に、Ｘ線管装置１をロック解除させる管球水平回転動スイッチ４ｄ、管球垂直回転動スイッチ４ｅ、及びキャリッジ部７の水平移動、支柱６の伸縮の両方をロック解除させる長手短手上下動スイッチ４ｆなどが配置され、表示パネル５が中央に設けられている。
表示パネル５は、液晶表示画面で構成され、Ｘ線発生器情報表示部５ａ、撮影条件表示部５ｂ、管球角度表示部５ｃ、ＦＦＤ表示部５ｄ、及び各種の機能スイッチ５ｅなどが表示され、Ｘ線発生器側で選択された撮影術式、撮影条件、Ｘ線管装置のＸ線入射角度情報やＦＦＤなどの情報が表示される。そして、機能スイッチ５ｅにタッチしてその他の表示画面を表示することもできる。
【０００５】
操作者がＸ線管装置１の前方に位置する操作パネル部４の操作ハンドル３を握り、操作パネル部４に設けられた各操作スイッチ（長手動スイッチ４ａ、短手動スイッチ４ｂ、上下動スイッチ４ｃ、又は長手短手上下動スイッチ４ｆ）を選択することで、Ｘ、Ｙ、Ｚ方向の電磁ロックが解除され、キャリッジ部７から懸垂された支柱６を、固定レール、移動レール上でＸ−Ｙ方向に移動させ、懸垂部の支柱６を上下に伸縮することができ、Ｘ線管装置１を自由にＸ、Ｙ、Ｚ方向に移動させ、撮影位置にセットすることができる。
そして、支柱６の垂直軸に対して取付ブロック８を介してＸ線管装置１を回動（管球垂直軸回転）できる機能のロック解除スイッチ（管球垂直回転動スイッチ４ｅ）を操作し、特定の角度に回動し固定する。また、Ｘ線管装置１の取付軸を中心にして回転（管球水平軸回転）できる機能のロック解除スイッチ（管球水平回転動スイッチ４ｄ）を操作し、Ｘ線管装置１を水平軸回りに回転させ固定する。上記の操作によりＸ線管装置１のＸ線放射口に取付けられたＸ線可動絞り２を被検者の撮影部位に向けることができる。そして、立位撮影台９の受像部１１、または、水平撮影台１２のテーブル１２ａの下部に位置する受像部１３の方向に、Ｘ線管装置１のＸ線放射口を向け、被検者を受像部１１の前面に向かわせ接触させて立たせ、または、テーブル１２ａ上に載せる。そして、Ｘ線可動絞り２の照準器スイッチ２ａをＯＮし、照準光を撮影部位に投光して撮影中心位置を確認し、立位撮影または臥位撮影が行われる。
【特許文献１】特開平６−１６５７７３号公報  （第６頁、第６図）
【発明の開示】
【発明が解決しようとする課題】
【０００６】
従来の天井懸垂式Ｘ線管保持装置は以上のように構成されているが、キャリッジ部７の天井走行水平面内での移動、支柱６の上下伸縮などの天井部動作と、水平軸回転及び垂直軸回転などの管球部動作によりＸ線管装置１の位置決め及び角度付けが行われ、各動作方向への操作は、操作パネル部４の各操作スイッチ（長手動スイッチ４ａ、短手動スイッチ４ｂ、上下動スイッチ４ｃ、管球水平回転動スイッチ４ｄ、管球垂直回転動スイッチ４ｅ、長手短手上下動スイッチ４ｆ）を押しながら行っている。この各操作スイッチを押すことによって、キャリッジ部７、支柱６の天井部やＸ線管装置１の管球部のロックが解除される。
しかし、操作パネル部４上の各操作スイッチの配列が、図５（ａ）に示すように固定されているため、病院の検査室の撮影装置の種類、装置の配置、撮影術式の頻度、専用機種などによって操作がやりにくい面があった。例えば、Ｘ線管装置１のパーキング位置への戻しや引出し、受像部１１、１３（フイルムホルダなどを含む）を保持する立位撮影台９や水平撮影台１２のレイアウト、立位、又は臥位の撮影状況の優先度や頻度、ユーザーの慣れ、好みなどにより、各操作スイッチの配列、機能、数量に対するユーザーの希望が多岐にわたっており、固定したものでは操作がやりにくいという問題があった。
本発明は、このような事情に鑑みてなされたものであって、操作パネル部に具備された操作スイッチの配列や機能を任意に変更でき、また、標準の操作スイッチから同一機能の操作スイッチの数量を変更でき、また、標準に具備されている操作スイッチの種類よりも数多く設定できる表示パネルを有する操作パネル部を備えた天井懸垂式Ｘ線管保持装置を提供することを目的とする。
【課題を解決するための手段】
【０００７】
上記の目的を達成するため、本発明の天井懸垂式Ｘ線管保持装置は、天井に設けられたレール上を水平面内で移動するキャリッジ部と、そのキャリッジ部から伸縮自在に懸垂された支柱と、その支柱の下方部に取付ブロックを介して前記支柱の周囲に回動可能に取り付け、かつ取付ブロックに対して水平軸を介して回転可能に取り付けられたＸ線管装置と、前記キャリッジ部の水平面移動、支柱の伸縮、Ｘ線管装置の回動及び回転のブレーキ解除用の操作スイッチを備えるとともに操作ハンドルをＸ線管装置に一体的に取付けた操作パネル部と、その操作パネル部に設けられ撮影術式、撮影条件、Ｘ線管装置の情報を表示する表示パネルと、操作パネル部の操作スイッチを操作してキャリッジ部及び支柱の動作、Ｘ線管装置の回動及び回転を制御する制御部とを備え、前記操作スイッチと操作ハンドルの操作でＸ線管装置を上下・左右・前後に移動させ、支柱に対して回動操作と回転操作を行わせＸ線照射をあらゆる方向にできるようにした天井懸垂式Ｘ線管保持装置において、前記制御部に集中制御できるＣＰＵと、操作スイッチの操作によるブレーキ動作情報、および操作スイッチの内容変更書換プログラム、配線変更プログラムを記憶した記憶装置と、前記表示パネルの表示画面を切換え前記操作スイッチとブレーキ動作の設定画面を表示する手段と、その設定画面を前記内容変更書換プログラム、配線変更プログラムによって変更し前記記憶装置に登録する手段とを設け、操作パネル部の操作スイッチの配列、機能、数量を変更できるようにしたものである。
【０００８】
また、本発明の天井懸垂式Ｘ線管保持装置は、制御部に外部機器からスイッチ配列、機能、数量の変更データを通信によって取り込むことができる通信Ｉ／Ｆを設けたものである。
【０００９】
本発明の天井懸垂式Ｘ線管保持装置は上記のように構成されており、制御部にＣＰＵを搭載し、記憶装置に操作スイッチの操作とそれに関連するブレーキ動作の情報、および操作スイッチの内容変更書換プログラム、配線変更プログラムを記憶させておく。そして、操作パネルに設けられた表示パネルに表示される表示画面を、切換スイッチによって配線変更モードに切換え、表示パネルに各操作スイッチとブレーキ動作の設定画面を表示させる。そして、表示パネルの内容変更スイッチを選択して、内容変更書換プログラムを起動させプログラムに沿って画面上で設定変更する。次に、登録設定スイッチを選択すると、設定された仕様が記憶装置に登録され、同時にスイッチ配線変更プログラムが起動して、各操作スイッチと動作部のスイッチ配線が設定通りに変更される。この操作を行うことにより、操作パネル部の操作スイッチの配列、機能、数量を任意に変更する。
また、外部のパーソナルコンピュータなどの機器に、要求されるスイッチ配列、機能、数量の変更データが記憶・設定され、外部から通信ＩＦ機能を介して装置の制御部に送信され、装置が要求される仕様通りに変更設定されて使用される。
【発明の効果】
【００１０】
本発明の天井懸垂式Ｘ線管保持装置は上記のように構成されており、装置の制御部にコンピュータと周辺制御回路が装備され、記憶装置に操作スイッチの操作とそれに関連するブレーキ動作の情報、および操作スイッチの内容変更書換プログラム、配線変更プログラムが記憶されており、操作パネル部の表示パネル上で操作スイッチの信号読み取りを電気的、ソフト的に接続変更し、プログラミングができ、操作スイッチの配列や同一の機構を複数の位置に配置し、標準以外の機構も装備して、ユーザーの必要性に対応し、変更することができる。また、外部機器から通信手段によって仕様変更もできる。このようにユーザーの仕様用途や検査室状況に合わせて、任意に操作スイッチ配列を変更できるため、従来使っていた装置の慣れを継続でき操作性が向上し、装置のセッティングに時間を必要とせず、スムースに撮影することができる。それによって被検者に対しても撮影にかかわる時間を短くできるため、被検者への負担を軽減することになる。また、設置スペースの空間を有効に利用することができる。
【発明を実施するための最良の形態】
【００１１】
本発明の天井懸垂式Ｘ線管保持装置は、操作パネル部に設けられる操作スイッチの配列、機能、数量を、ユーザーの必要性に対応して、電気的、ソフト的に変更設定できるインテリジェントな表示パネルを搭載する装置を実現した。
【実施例１】
【００１２】
図１は、本発明の天井懸垂式Ｘ線管保持装置の制御系統図を示す。図２は、本発明の天井懸垂式Ｘ線管保持装置の操作部を示し、（ａ）は操作パネル部１４、（ｂ）は表示パネル１５を示す。
本発明の天井懸垂式Ｘ線管保持装置は、図４に示す天井に設けられたレール上を水平面内で移動（長手動、短手動）するキャリッジ部７と、そのキャリッジ部７から伸縮自在に上下動する支柱６と、その支柱６の下方部に取付ブロック８を介して支柱６の周囲に回動（旋回）可能に取り付け、かつ取付ブロック８に対して水平軸を介して回転可能に取り付けられたＸ線管装置１と、検出器１６を有しロック解除用の各操作スイッチ１４ｘ（ＳＷ１４ａ、１４ｂ、１４ｃ、１４ｄ、１４ｅ、１４ｆ）を備えるとともに、操作ハンドル３をＸ線管装置１に一体的に取付けた図２に示す操作パネル部１４と、その操作パネル部１４に設けられ撮影術式、撮影条件、Ｘ線管装置１の情報を表示し、また、配線変更モード切換スイッチ１５ａを選択することによって、各操作スイッチ１４ｘと駆動部１９の各ブレーキ１９ａ、１９ｂ、１９ｃ、１９ｄ動作の設定画面を表示する表示パネル１５と、集中制御できるＣＰＵ１７ａと周辺制御回路１７ｂを備え、操作パネル部１４の各操作スイッチ１４ｘを操作してキャリッジ部７および支柱６の動作、Ｘ線管装置１の回動および回転を制御する制御部１７と、各操作スイッチ１４ｘの操作による各ブレーキ動作情報を記憶し、内容変更スイッチ１５ｃ、登録設定スイッチ１５ｄで起動、実行、登録できる内容変更書換プログラム、配線変更プログラムを記憶した記憶装置１８とから構成される。
【００１３】
本天井懸垂式Ｘ線管保持装置は、従来の装置と異なるところは、従来の装置は、図５に示すように、各操作スイッチ（長手動スイッチ４ａ、短手動スイッチ４ｂ、上下動スイッチ４ｃ、管球水平回転動スイッチ４ｄ、管球垂直回転動スイッチ４ｅ、長手短手上下動スイッチ４ｆ）は配列、機能、数量が、所定の位置、既定の機能、単一の個数であり、変更することができない構成であるが、これに対し本発明の装置は、操作パネル部１４の表示パネル１５に、各操作スイッチ１４ｘと駆動部１９（図４に示す、キャリッジ部７の長手動、短手動、支柱６の上下動、Ｘ線管装置１の水平回転動、垂直回転動など）の各ブレーキ１９ａ、１９ｂ、１９ｃ、１９ｄの関連テーブルを表示させ、記憶装置に記憶された内容変更書き換えプログラム及びスイッチ配線変更プログラムによってソフト的に電気配線を変更し、各操作スイッチ１４ｘの配列、機能、数量をユーザーの仕様用途に設定することができる。
【００１４】
次に、本天井懸垂式Ｘ線管保持装置の各部構成について説明する。
キャリッジ部７は、天井のＸ−Ｙ方向に設けられた長手動レール（固定レール）及び短手動レール（移動レール）上を水平面内で移動するもので、図２に示す操作パネル部１４の各操作スイッチ１４ｘ（長手動のＳＷ１４ａ、短手動のＳＷ１４ｂ、長手短手上下動のＳＷ１４ｆ）でロックを解除して移動させる。
支柱６は、キャリッジ部７から懸垂され、下端にＸ線管装置１を取り付け、上下に伸縮するもので、操作スイッチ（上下動のＳＷ１４ｃ）でロックを解除して伸縮される。
Ｘ線管装置１は、支柱６の下方部に取付ブロック８を介して取付けられ、照準器スイッチ２ｂを操作パネル部１４の下部に設けＸ線可動絞り２が取付けられ、操作ハンドル３を握り、図２に示す操作パネル部１４の各操作スイッチ１４ｘ（管球垂直回転動のＳＷ１４ｅ、管球水平回転動のＳＷ１４ｄ）でロックを解除して、支柱６の周囲に回動（旋回）でき、かつ取付ブロック８に対して水平軸を介して回転され、その水平軸回転角度が表示パネル１５に表示される。
【００１５】
操作パネル部１４は、図４に示すキャリッジ部７の移動及び支柱６の上下動やＸ線管装置１の回動（旋回）／回転に対するロック／解除制御用の各操作スイッチ１４ｘが配された操作ハンドル３と表示パネル５で構成されていてＸ線管装置に一体的に取付けられていて、また、各操作スイッチ１４ｘの信号を検出する検出器を備えている。
表示パネル１５は、液晶によるフラットはタッチ表示パネルで構成され、操作パネル部４の中央に設けられる、使用時は、図５（ｂ）に示すような画面が表示され、下部の機能スイッチ５ｅの一つに図２に示す配線変更モード切換スイッチ１５ａが設けられ、これを選択すると、図２（ｂ）に示す設定画面１５ｂに画面が切り換わる。
操作パネル部１４の各操作スイッチの配列、機能、数量を設定変更する時は、表示パネル１５の配線変更モード切換スイッチ１５ａを選択することによって、各操作スイッチと駆動部１９の各ブレーキ動作の設定画面１５ｂが表示される。設定画面１５ｂの仕様を変更するには、内容変更スイッチ１５ｃを押す。記憶装置１８に記憶されている内容変更書換プログラムが起動し、画面に表示される変更プログラムの指示に従って、各操作スイッチの配列、機能、数量の内容を変更する。制御部１７のメモリ機構へのスイッチ配線などの信号回路を変更し、バッファメモリの内容を書き換えることで、各操作スイッチの配列を変更する。設定が完了すればその内容を記憶装置１８に記憶させるために、登録設定スイッチ１５ｄを押す。スイッチ配線変更プログラムが起動し、各操作スイッチの配線がソフト的に変更され、実行される。設定された仕様が記憶装置１８に保存される。そして、設定変更後、各操作スイッチの上面に機能表示のラベルを貼り付ける。
【００１６】
制御部１７は、操作パネル部１４の後部に配置され、集中制御できるＣＰＵ１７ａと周辺制御回路１７ｂを備え、操作パネル部１４の各操作スイッチ１４ｘを操作したとき、キャリッジ部７及び支柱６の動作、Ｘ線管装置の回動（旋回）及び回転のロック／解除の制御を行う機能と、各操作スイッチ１４ｘの配列、機能、数量を設定変更するとき、記憶装置１８から制御プログラムを読み出し表示パネル１５に表示し、内容変更するプログラム実行用の機能を有する。
記憶装置１８は、各操作スイッチ１４ｘの操作による各ブレーキ動作の回路情報と、表示パネル１５の設定画面１５ｂで設定回路変更時に使用する内容変更書換プログラムと、それによってソフト的に電気回路を変更し記憶装置１８に登録保存するスイッチ配線変更プログラムが記憶されている。
【００１７】
次に、本天井懸垂式Ｘ線管保持装置の操作について説明する。
本天井懸垂式Ｘ線管保持装置は、図４に示すように、検査室に立位撮影台９（ブッキースタンド）や水平撮影台１２（テーブル１２ａ）及び透視撮影台などが据付けられ、Ｘ線管装置１と組合せられて、正面撮影、胸部撮影、側面撮影、斜位撮影などが行われる。ここでは、本装置を水平撮影台１２と組み合わせて用いられたケースと、立位撮影台９と組み合わせて用いられたケースについて説明する。
まず、操作パネル部１４の表示パネル１５の配線変更モード切換スイッチ１５ａを選択して押す。記憶装置１８から内容変更書換プログラムが読み出され起動して、表示パネル１５に各操作スイッチ（図１では４個のスイッチＳＷ１４ａ、１４ｂ、１４ｃ、１４ｄ）と駆動部１９の各種ブレーキ１９ａ、１９ｂ、１９ｃ、１９ｄの関連表の設定画面１５ｂが表示される。
次に、内容変更スイッチ１５ｃを選択して押すと、画面が各操作スイッチ（ＳＷ１４ａ、１４ｂ、１４ｃ、１４ｄ）の機能設定の画面に切り換わる。最初に定義されている機能例として、（１）長手動、（２）短手動、（３）長手短手上下動、（４）上下動、（５）管球水平回転、（６）管球垂直回転などが設けられている。ここで、操作スイッチ１４ｘの個数を増やすことも、機能のバリエーションを追加することもできる。例えば、長手短手動、長手上下動、短手上下動などのような組み合わせの種類を装備しておく。そして、設定画面の指示に従って、各操作スイッチ（ＳＷ１４ａ、１４ｂ、１４ｃ、１４ｄ）と機能（１）〜（６）を関連付ける。
例えば、水平撮影台１２（図４参照）の使用頻度の高い検査室の場合、操作パネル部１４の操作スイッチの個数を９個（本例における個数は、操作パネル部１４の左右に３個づつ、上部に２個、下部に１個で、全数で９個）使用し、そのスイッチ配列がＳＷ１４ａ、ＳＷ１４ｂ、ＳＷ１４ｃ、ＳＷ１４ｄ・・・・・・・ＳＷ１４ｘに対し、機能を（１）長手動、（２）短手動、（３）長手短手上下動、（５）管球水平回転、（６）管球垂直回転、（４）上下動、（４）上下動、（３）長手短手上下動、（Ｘ）照準器スイッチに割当て関連付ける。この配列は臥位撮影を優先させた配列である。
また、立位撮影台９（図４参照）の使用頻度の高い検査室の場合、操作パネル部１４の操作スイッチの個数を９個使用し、そのスイッチ配列がＳＷ１４ａ、ＳＷ１４ｂ、ＳＷ１４ｃ、ＳＷ１４ｄ・・・・・・・ＳＷ１４ｘに対し、機能を（４）上下動、（２）短手動、（３）長手短手上下動、（５）管球水平回転、（１）長手動、（６）管球垂直回転、（４）上下動、（８）長手短手上下動、（Ｘ）照準器スイッチに割当て関連付ける。この配列は立位撮影を優先させた配列である。
各操作スイッチ（ＳＷ１４ａ、１４ｂ、１４ｃ、１４ｄ）と機能（１）〜（６）の関連付けが終了すれば、表示パネル１５に表示されている登録設定スイッチ１５ｄを選択して押す。記憶装置１８からスイッチ配線変更プログラムが読み出され、起動して設定されたデータが記憶装置に保存されると同時に、各操作スイッチ（ＳＷ１４ａ、１４ｂ、１４ｃ、１４ｄ）の配線が変更され電気回路がソフト的に変更される。設定が終了すれば各操作スイッチ（ＳＷ１４ａ、１４ｂ、１４ｃ、１４ｄ）の表面に機能ラベルを貼付してスイッチ機能が明確になる。
上記の設定を完了させて、装置の操作ハンドル３を握り、操作パネル部１４の各操作スイッチ（ＳＷ１４ａ、１４ｂ、１４ｃ、１４ｄ）を押し、ロックを解除してキャリッジ部７を前後、左右に移動させ、支柱６を上下に伸縮させ、Ｘ線管装置１を回動、回転させて、Ｘ線管装置１を撮影位置にセッティングする。
【００１８】
上記の実施例では、設定変更のデータ投入を表示パネル１５で行っているが、図３に示すように、外部機器２１と制御部１７間に通信Ｉ／Ｆ１７ｃを設け、パーソナルコンピュータの外部機器２１側で、ユーザーが実施例と類似の作業によって、スイッチ配列を変更するソフトウエアを実行して、スイッチ配列変更データ２１ａを通信によって本装置の制御部１７に伝送して記憶することもできる。また、パスワード的な操作で、通常使用する状態から、配列を変更するモードに入れるようにする。図３に示す装置の各部の機構は、図１に示す機構と同じであり説明を省略する。
また、上記の実施例では、ソフトウエアによって全てを変更できるようにしたが、各操作スイッチ（ＳＷ１４ａ、１４ｂ、１４ｃ、１４ｄ）を物理的に配置変更可能なように構築し、スイッチそのものを入れ替えるハイブリッド変更方式にしてもよい。
【図面の簡単な説明】
【００１９】
【図１】本発明の天井懸垂式Ｘ線管保持装置の実施例を示す図である。（実施例１）
【図２】本発明の天井懸垂式Ｘ線管保持装置の操作パネル部の説明図である。
【図３】本発明の天井懸垂式Ｘ線管保持装置を外部機器により制御する図である。
【図４】天井懸垂式Ｘ線管保持装置を用い立位撮影又は水平撮影を行う説明図である。
【図５】従来の天井懸垂式Ｘ線管保持装置の操作パネル部の説明図である。
【符号の説明】
【００２０】
１  Ｘ線管装置
２  Ｘ線可動絞り
２ａ、２ｂ  照準器スイッチ
３  操作ハンドル
４  操作パネル部
４ａ  長手動スイッチ
４ｂ  短手動スイッチ
４ｃ  上下動スイッチ
４ｄ  管球水平回転動スイッチ
４ｅ  管球垂直回転動スイッチ
４ｆ  長手短手上下動スイッチ
５  表示パネル
５ａ  Ｘ線発生器情報表示部
５ｂ  撮影条件表示部
５ｃ  管球角度表示部
５ｅ  機能スイッチ
６  支柱
７  キャリッジ部
８  取付ブロック
９  立位撮影台
１０  制御部
１１  受像部
１２  水平撮影台
１２ａ  テーブル
１３  受像部
１４  操作パネル部
１４ａ、１４ｂ、１４ｃ、１４ｄ  ＳＷ
１４ｘ  操作スイッチ
１５  表示パネル
１５ａ  配線変更モード切換スイッチ
１５ｂ  設定画面
１５ｃ  内容変更スイッチ
１５ｄ  登録設定スイッチ
１６  検出器
１７  制御部
１７ａ  ＣＰＵ
１７ｂ  周辺制御回路
１７ｃ  通信Ｉ／Ｆ
１８  記憶装置
１９  駆動部
１９ａ、１９ｂ、１９ｃ、１９ｄ  ブレーキ
２１  外部機器
２１ａ  スイッチ配列変更データ
【図１】
2005131000.tif 000003
【図２】
2005131000.tif 000004
【図３】
2005131000.tif 000005
【図４】
2005131000.tif 000006
【図５】
2005131000.tif 000007